(57)【特許請求の範囲】
【請求項１】
空気流れの上流側に除湿対象空間（Ｒ）内の空気を吸い込む吸込口（３）と、下流側に前記除湿対象空間（Ｒ）内へ空気を吹き出す吹出口（７）とを有する空気通路（２）と、
前記吸込口（３）と前記吹出口（７）との間の前記空気通路（２）内に、吸着剤（１）を収容し前記吸着剤（１）の粒子を浮遊流動させる吸着剤流動空間（５）と、
前記空気通路（２）内に空気を流通させる送風手段（６）と、
前記吸着剤流動空間（５）から前記吸着剤（１）の一部を取り込む吸着剤取り込み部（１１）、取り込んだ前記吸着剤（１）から吸着している湿気を脱離させる吸着剤再生手段（１３）、及び再生した前記吸着剤（１）を前記吸着剤流動空間（５）へ戻す吸着剤戻し部（１４）とからなる吸着剤通路（１２）と、
前記吸着剤再生手段（１３）から発生した水蒸気を排出する水蒸気通路（２１）とを備え、
前記吸着剤再生手段（１３）として、加熱手段（１３ａ）を備えた熱伝導板（１３ｂ）を前記吸着剤通路（１２）内に１枚もしくはそれ以上配置し、前記吸着剤再生手段（１３）に循環してきた前記吸着剤（１）が、加熱された前記熱伝導板（１３ｂ）上を加熱されながら順次滑り落ちて循環するものであり、
前記除湿対象空間（Ｒ）から空気を取り込み、前記吸着剤流動空間（５）にて前記吸着剤（１）に湿気を吸着させて乾燥した空気を前記除湿対象空間（Ｒ）に供給すると共に、前記吸着剤流動空間（５）から前記吸着剤（１）の一部を取り込んで前記吸着剤再生手段（１３）にて再生して再び前記吸着剤流動空間（５）に戻すことで、除湿を連続して行ない、
更に、振動発生手段（１５）を設け、静止状態では前記熱伝導板（１３ｂ）上の前記吸着剤（１）が滑り落ちない角度で前記熱伝導板（１３ｂ）を前記振動発生手段（１５）に取り付け、前記吸着剤再生手段（１３）に循環してきた前記吸着剤（１）は、振動発生手段（１５）の振動により加熱された前記熱伝導板（１３ｂ）上を加熱されながら順次滑り落ちて循環することを特徴とする除湿装置。
【請求項２】
空気流れの上流側に除湿対象空間（Ｒ）内の空気を吸い込む吸込口（３）と、下流側に前記除湿対象空間（Ｒ）内へ空気を吹き出す吹出口（７）とを有する空気通路（２）と、
前記吸込口（３）と前記吹出口（７）との間の前記空気通路（２）内に、吸着剤（１）を収容し前記吸着剤（１）の粒子を浮遊流動させる吸着剤流動空間（５）と、
前記空気通路（２）内に空気を流通させる送風手段（６）と、
前記吸着剤流動空間（５）から前記吸着剤（１）の一部を取り込む吸着剤取り込み部（１１）、取り込んだ前記吸着剤（１）から吸着している湿気を脱離させる吸着剤再生手段（１３）、及び再生した前記吸着剤（１）を前記吸着剤流動空間（５）へ戻す吸着剤戻し部（１４）とからなる吸着剤通路（１２）と、
前記吸着剤再生手段（１３）から発生した水蒸気を排出する水蒸気通路（２１）とを備え、
前記吸着剤再生手段（１３）として、加熱手段（１３ａ）を備えた熱伝導板（１３ｂ）を前記吸着剤通路（１２）内に１枚もしくはそれ以上配置し、前記吸着剤再生手段（１３）に循環してきた前記吸着剤（１）が、加熱された前記熱伝導板（１３ｂ）上を加熱されながら順次滑り落ちて循環するものであり、
前記除湿対象空間（Ｒ）から空気を取り込み、前記吸着剤流動空間（５）にて前記吸着剤（１）に湿気を吸着させて乾燥した空気を前記除湿対象空間（Ｒ）に供給すると共に、前記吸着剤流動空間（５）から前記吸着剤（１）の一部を取り込んで前記吸着剤再生手段（１３）にて再生して再び前記吸着剤流動空間（５）に戻すことで、除湿を連続して行ない、
更に、略水平位置と前記熱伝導板（１３ｂ）上の前記吸着剤（１）が滑り落ちる角度位置となるように前記熱伝導板（１３ｂ）の姿勢を可変する可動手段（１６）を設け、前記吸着剤再生手段（１３）に循環してきた前記吸着剤（１）を、略水平位置の前記熱伝導板（１３ｂ）上に一時的に蓄えて加熱し、所定条件になると前記熱伝導板（１３ｂ）の姿勢を可変させて前記吸着剤（１）を下方へ滑り落として前記吸着剤流動空間（５）へ戻し、再び略水平位置に戻り、以上を繰り返すことにより連続的に前記吸着剤（１）を循環させることを特徴とする除湿装置。
【請求項３】
空気流れの上流側に除湿対象空間（Ｒ）内の空気を吸い込む吸込口（３）と、下流側に前記除湿対象空間（Ｒ）内へ空気を吹き出す吹出口（７）とを有する空気通路（２）と、
前記吸込口（３）と前記吹出口（７）との間の前記空気通路（２）内に、吸着剤（１）を収容し前記吸着剤（１）の粒子を浮遊流動させる吸着剤流動空間（５）と、
前記空気通路（２）内に空気を流通させる送風手段（６）と、
前記吸着剤流動空間（５）から前記吸着剤（１）の一部を取り込む吸着剤取り込み部（１１）、取り込んだ前記吸着剤（１）から吸着している湿気を脱離させる吸着剤再生手段（１３）、及び再生した前記吸着剤（１）を前記吸着剤流動空間（５）へ戻す吸着剤戻し部（１４）とからなる吸着剤通路（１２）と、
前記吸着剤再生手段（１３）から発生した水蒸気を排出する水蒸気通路（２１）とを備え、
前記吸着剤再生手段（１３）として、加熱手段（１３ａ）を備えた熱伝導板（１３ｂ）を前記吸着剤通路（１２）内に１枚もしくはそれ以上配置し、前記吸着剤再生手段（１３）に循環してきた前記吸着剤（１）が、加熱された前記熱伝導板（１３ｂ）上を加熱されながら順次滑り落ちて循環するものであり、
前記除湿対象空間（Ｒ）から空気を取り込み、前記吸着剤流動空間（５）にて前記吸着剤（１）に湿気を吸着させて乾燥した空気を前記除湿対象空間（Ｒ）に供給すると共に、前記吸着剤流動空間（５）から前記吸着剤（１）の一部を取り込んで前記吸着剤再生手段（１３）にて再生して再び前記吸着剤流動空間（５）に戻すことで、除湿を連続して行ない、
更に、前記熱伝導板（１３ｂ）を略円板状にすると共に、前記熱伝導板（１３ｂ）を回転させる回転手段（１７）を設け、前記吸着剤再生手段（１３）に循環してきた前記吸着剤（１）を、回転している前記熱伝導板（１３ｂ）上の中心部に供給し、遠心力で外周方向に向かって移動させながら加熱し、外周部に到達すると下方へ落下させて前記吸着剤流動空間（５）へ戻すことを特徴とする除湿装置。
【請求項４】
前記水蒸気通路（２１）の空気流れの下流側に凝縮手段（２２）を設け、前記水蒸気通路（２１）からの水蒸気を前記凝縮手段（２２）にて凝縮水とすることを特徴とする請求項１ないし３のいずれか一項に記載の除湿装置。
【請求項５】
前記凝縮手段（２２）へ冷却用空気を供給する冷却用空気通路（２２ｂ）の一端を前記空気通路（２）に連通させ、前記送風手段（６）にて前記空気通路（２）に空気を供給すると共に前記凝縮手段（２２）に冷却用空気を供給することを特徴とする請求項４に記載の除湿装置。
【発明の詳細な説明】
【０００１】
【発明の属する技術分野】
本発明は、吸着剤を用いた除湿器に関するもので、特に吸着剤の粒子を流動的に利用した除湿器に関する。
【０００２】
【従来の技術】
吸着剤での吸着効率を高める方法として、処理流体と共に吸着剤粒子を流動させる方法が特開平９−２９９７３５号公報に示されている。
【０００３】
【発明が解決しようとする課題】
しかし、上記公報には、湿気を吸着した吸着剤から湿気を脱離させて再生する方法が示されておらず、実際に除湿器として利用するには、除湿能力が連続的に発揮されないという問題点がある。
【０００４】
本発明は、上記従来技術の問題点に鑑みて成されたものであり、その目的は、処理流体と共に吸着剤粒子を流動させて吸着を行なうのと並行して、吸着剤から湿気を脱離させて再生を行なう機能を持たせることで、連続的に除湿能力を発揮する除湿器を提供することにある。
【０００５】
【課題を解決するための手段】
上記目的を達成するため、本発明では以下の技術的手段を採用する。
【０００６】
請求項１記載の発明では、空気流れの上流側に除湿対象空間（Ｒ）内の空気を吸い込む吸込口（３）と、下流側に除湿対象空間（Ｒ）内へ空気を吹き出す吹出口（７）とを有する空気通路（２）と、吸込口（３）と吹出口（７）との間の空気通路（２）内に、吸着剤（１）を収容し吸着剤（１）の粒子を浮遊流動させる吸着剤流動空間（５）と、空気通路（２）内に空気を流通させる送風手段（６）と、吸着剤流動空間（５）から吸着剤（１）の一部を取り込む吸着剤取り込み部（１１）、取り込んだ吸着剤（１）から吸着している湿気を脱離させる吸着剤再生手段（１３）、及び再生した吸着剤（１）を吸着剤流動空間（５）へ戻す吸着剤戻し部（１４）とからなる吸着剤通路（１２）と、吸着剤再生手段（１３）から発生した水蒸気を排出する水蒸気通路（２１）とを備え、
吸着剤再生手段（１３）として、加熱手段（１３ａ）を備えた熱伝導板（１３ｂ）を吸着剤通路（１２）内に１枚もしくはそれ以上配置し、吸着剤再生手段（１３）に循環してきた吸着剤（１）が、加熱された熱伝導板（１３ｂ）上を加熱されながら順次滑り落ちて循環するものであり、除湿対象空間（Ｒ）から空気を取り込み、吸着剤流動空間（５）にて吸着剤（１）に湿気を吸着させて乾燥した空気を除湿対象空間（Ｒ）に供給すると共に、吸着剤流動空間（５）から吸着剤（１）の一部を取り込んで吸着剤再生手段（１３）にて再生して再び吸着剤流動空間（５）に戻すことで、除湿を連続して行ない、更に、振動発生手段（１５）を設け、静止状態では熱伝導板（１３ｂ）上の吸着剤（１）が滑り落ちない角度で熱伝導板（１３ｂ）を振動発生手段（１５）に取り付け、吸着剤再生手段（１３）に循環してきた吸着剤（１）は、振動発生手段（１５）の振動により加熱された熱伝導板（１３ｂ）上を加熱されながら順次滑り落ちて循環することを特徴としている。
【０００７】
この発明によれば、吸着剤を循環し、処理空気と共に吸着剤の粒子を流動させて吸着を行なうのと並行して、吸着剤から湿気を脱離させて再生を行なうので、連続的に除湿能力が発揮される。また、吸着剤再生手段（１３）を通過する間に吸着剤が充分に加熱されて再生効率が向上する。加えて、振動によって吸着剤の熱伝導板上での加熱時間や循環速度が制御できる。
【０００８】
請求項２記載の発明では、空気流れの上流側に除湿対象空間（Ｒ）内の空気を吸い込む吸込口（３）と、下流側に除湿対象空間（Ｒ）内へ空気を吹き出す吹出口（７）とを有する空気通路（２）と、吸込口（３）と吹出口（７）との間の空気通路（２）内に、吸着剤（１）を収容し吸着剤（１）の粒子を浮遊流動させる吸着剤流動空間（５）と、空気通路（２）内に空気を流通させる送風手段（６）と、吸着剤流動空間（５）から吸着剤（１）の一部を取り込む吸着剤取り込み部（１１）、取り込んだ吸着剤（１）から吸着している湿気を脱離させる吸着剤再生手段（１３）、及び再生した吸着剤（１）を吸着剤流動空間（５）へ戻す吸着剤戻し部（１４）とからなる吸着剤通路（１２）と、吸着剤再生手段（１３）から発生した水蒸気を排出する水蒸気通路（２１）とを備え、吸着剤再生手段（１３）として、加熱手段（１３ａ）を備えた熱伝導板（１３ｂ）を吸着剤通路（１２）内に１枚もしくはそれ以上配置し、吸着剤再生手段（１３）に循環してきた吸着剤（１）が、加熱された熱伝導板（１３ｂ）上を加熱されながら順次滑り落ちて循環するものであり、除湿対象空間（Ｒ）から空気を取り込み、吸着剤流動空間（５）にて、吸着剤（１）に湿気を吸着させて乾燥した空気を除湿対象空間（Ｒ）に供給すると共に、吸着剤流動空間（５）から吸着剤（１）の一部を取り込んで吸着剤再生手段（１３）にて再生して再び吸着剤流動空間（５）に戻すことで、除湿を連続して行ない、更に、略水平位置と熱伝導板（１３ｂ）上の吸着剤（１）が滑り落ちる角度位置となるように熱伝導板（１３ｂ）の姿勢を可変する可動手段（１６）を設け、吸着剤再生手段（１３）に循環してきた吸着剤（１）を、略水平位置の熱伝導板（１３ｂ）上に一時的に蓄えて加熱し、所定条件になると熱伝導板（１３ｂ）の姿勢を可変させて吸着剤（１）を下方へ滑り落として吸着剤流動空間（５）へ戻し、再び略水平位置に戻り、以上を繰り返すことにより連続的に吸着剤（１）を循環させることを特徴としている。
【０００９】
この発明によれば、吸着剤を循環し、処理空気と共に吸着剤の粒子を流動させて吸着を行なうのと並行して、吸着剤から湿気を脱離させて再生を行なうので、連続的に除湿能力が発揮される。また、吸着剤再生手段（１３）を通過する間に吸着剤が充分に加熱されて再生効率が向上する。加えて、熱伝導板の可動によって吸着剤の熱伝導板上での加熱時間や循環速度が制御できる。
【００１０】
請求項３記載の発明では、空気流れの上流側に除湿対象空間（Ｒ）内の空気を吸い込む吸込口（３）と、下流側に除湿対象空間（Ｒ）内へ空気を吹き出す吹出口（７）とを有する空気通路（２）と、吸込口（３）と吹出口（７）との間の空気通路（２）内に、吸着剤（１）を収容し吸着剤（１）の粒子を浮遊流動させる吸着剤流動空間（５）と、空気通路（２）内に空気を流通させる送風手段（６）と、吸着剤流動空間（５）から吸着剤（１）の一部を取り込む吸着剤取り込み部（１１）、取り込んだ吸着剤（１）から吸着している湿気を脱離させる吸着剤再生手段（１３）、及び再生した吸着剤（１）を吸着剤流動空間（５）へ戻す吸着剤戻し部（１４）とからなる吸着剤通路（１２）と、吸着剤再生手段（１３）から発生した水蒸気を排出する水蒸気通路（２１）とを備え、吸着剤再生手段（１３）として、加熱手段（１３ａ）を備えた熱伝導板（１３ｂ）を吸着剤通路（１２）内に１枚もしくはそれ以上配置し、吸着剤再生手段（１３）に循環してきた吸着剤（１）が、加熱された熱伝導板（１３ｂ）上を加熱されながら順次滑り落ちて循環するものであり、除湿対象空間（Ｒ）から空気を取り込み、吸着剤流動空間（５）にて吸着剤（１）に湿気を吸着させて乾燥した空気を除湿対象空間（Ｒ）に供給すると共に、吸着剤流動空間（５）から吸着剤（１）の一部を取り込んで吸着剤再生手段（１３）にて再生して再び吸着剤流動空間（５）に戻すことで、除湿を連続して行ない、更に、熱伝導板（１３ｂ）を略円板状にすると共に、熱伝導板（１３ｂ）を回転させる回転手段（１７）を設け、吸着剤再生手段（１３）に循環してきた吸着剤（１）を、回転している熱伝導板（１３ｂ）上の中心部に供給し、遠心力で外周方向に向かって移動させながら加熱し、外周部に到達すると下方へ落下させて吸着剤流動空間（５）へ戻すことを特徴としている。
【００１１】
この発明によれば、吸着剤を循環し、処理空気と共に吸着剤の粒子を流動させて吸着を行なうのと並行して、吸着剤から湿気を脱離させて再生を行なうので、連続的に除湿能力が発揮される。また、吸着剤再生手段（１３）を通過する間に吸着剤が充分に加熱されて再生効率が向上する。加えて、熱伝導板の回転によって吸着剤の熱伝導板上での加熱時間や循環速度が制御できる。
【００１４】
請求項４記載の発明では、水蒸気通路（２１）の空気流れの下流側に凝縮手段（２２）を設け、水蒸気通路（２１）からの水蒸気を凝縮手段（２２）にて凝縮水とすることを特徴としている。
【００１５】
この発明によれば、脱離させた除湿水分を水に凝縮するため、水蒸気で不要な加湿が行われることがなく、水として溜めて排水できるので扱いが容易となる。
【００１６】
請求項５記載の発明では、凝縮手段（２２）へ冷却用空気を供給する冷却用空気通路（２２ｂ）の一端を空気通路（２）に連通させ、送風手段（６）にて空気通路（２）に空気を供給すると共に凝縮手段（２２）に冷却用空気を供給することを特徴としている。
【００１７】
この発明によれば、送風手段が兼用できてコストが抑えられるうえ、除湿器をコンパクトに構成できる。
【００２４】
因みに、上記各手段の括弧内の符号は、後述する実施形態に記載の具体的手段との対応関係を示す一例である。
【００２５】
【発明の実施の形態】
次に、本発明を図面に基づき説明する。
【００２６】
図１は、本発明の除湿器の基本構成を示す模式図である。本発明は、吸着剤を流動的に利用する除湿器であり、吸着エリアと脱離エリアを分けて、その２つのエリア間を吸着剤が循環する。
【００２７】
送風手段であるファン＆モータ６により、除湿対象空間Ｒの空気を吸込口３より空気通路２内へと取り込む。取り込まれた空気は、吸着剤流動空間５内に収容された吸着剤１を浮遊させて撹拌することにより、空気と吸着剤１とが接触して、空気中の湿気が吸着剤１に吸着される。そして、除湿された空気は高温乾燥空気として吹出口７から除湿対象空間Ｒに戻されることで除湿対象空間Ｒの除湿が行われる。ちなみに、吸着剤１は吸着剤の原体粒子をそのまま使っており、空気流れの上下流にあるフィルタ４で吸着剤流動空間５内に収容され、空気だけ通過するようになっている。
【００２８】
水分を吸った吸着剤１の一部は、吸着剤取り込み部１１より吸着剤通路１２内へと取り込まれ、吸着剤再生手段１３で加熱され、吸着していた湿気を脱離して再生される。再生された吸着剤１は吸着剤戻し部１４より吸着剤流動空間５へと戻される。また、再生することで発生する水蒸気は、水蒸気通路２１から排出される。
【００２９】
このように、吸着剤１を循環し、処理空気と共に吸着剤１の粒子を流動させて吸着を行なうのと並行して、吸着剤１から湿気を脱離させて再生を行なうので、連続的に除湿能力が発揮される。
【００３０】
以降、図１の模式図の構成を具体化した実施形態を図面に基づき説明する。
【００３１】
（第１実施形態）
図２に、本発明の第１実施形態における除湿器の側面断面構成図を示す。図１の模式図の構成に加えて、吸着剤再生手段１３としてヒータ等の加熱手段１３ａでフィン状の熱伝導板１３ｂを加熱し、その熱伝導板１３ｂの間を吸着剤１が通過することで加熱され、吸着していた湿気を脱離して再生される。
【００３２】
また、吸着剤再生手段１３で脱離された水蒸気は、水蒸気通路２１から除湿器内部の上方に設置した凝縮手段としての熱交換器２２の周りに溜まり、送風手段のファン＆モータ２２ａで冷却用空気が供給されている熱交換器２２に接触して冷却され凝縮水となり、凝縮水通路２３を通って凝縮水回収容器であるドレンタンク２４に溜まってゆく。また、熱交換器２２で水蒸気と熱交換した冷却用空気は温風となって、冷却用空気通路２２ｂから除湿対象空間Ｒに放出される。
【００３３】
このように、脱離させた除湿水分を水に凝縮するため、水蒸気で不要な加湿が行われることがなく、水として溜めて排水できるので扱いが容易となる。
【００３４】
（第２実施形態）
図３に、本発明の第２実施形態における除湿器の側面断面構成図を示す。図２の第１実施形態と異なるのは、冷却用空気通路２２ｂの一端を空気通路２に連通させており、ファン＆モータ６の送風で空気通路２に空気を供給すると同時に、熱交換器２２にも冷却用空気を供給している。そして、熱交換器２２で水蒸気と熱交換した冷却用空気は温風となって、空気通路２で除湿乾燥空気と混合されて吹出口７から除湿対象空間Ｒに放出される。
【００３５】
このように、送風手段６が兼用できてコストが抑えられるうえ、除湿器をコンパクトに構成できる。
【００３６】
（第３実施形態）
図４に、本発明の第３実施形態における除湿器の側面断面構成図を示す。図３の第２実施形態と異なるのは、吸着剤再生手段１３として、加熱手段１３ａを備えた熱伝導板１３ｂを吸着剤通路１２内に傾斜を持たせて１枚もしくはそれ以上配置し、吸着剤再生手段１３に循環してきた吸着剤１が、加熱された熱伝導板１３ｂ上を加熱されながら順次滑り落ちて循環するようになっている。
【００３７】
このように、通過する間に吸着剤１が充分に加熱されて再生効率が向上する。
【００３８】
（第４実施形態）
図５に、本発明の第４実施形態における除湿器の側面断面構成図を示す。図４の第３実施形態と異なるのは、図６の（ａ）、（ｂ）の形状例に示すように、熱伝導板１３ｂの上面に、吸着剤１が滑り落ちる方向へ複数のガイド溝Ｇを設けており、吸着剤１が熱伝導板１３ｂ上を溝Ｇに沿って均一に滑り落ちて循環するようになっている。
【００３９】
このように、吸着剤１が熱伝導板１３ｂ上を通過する際、複数のガイド溝Ｇにより、滑り落ち方向に対しての横方向に水平でない場合やその他の外乱に対しても、均一な吸着剤１の層で滑り落ちて均一な加熱ができるため、安定した吸着剤再生能力を得ることができる。また、平面に対して加熱面積が増えて、再生効率も向上する。
【００４０】
（第５実施形態）
図７に、本発明の第５実施形態における除湿器の側面断面構成図を示す。図５の第４実施形態と異なるのは、振動発生手段１５を加えている。図８にその振動発生手段１５の構造を示すが、振動発生用モータ１５ａで振動を発生させ、振動伝達板１５ｂで各熱伝導板１３ｂに伝える構造である。
【００４１】
そして、静止状態では熱伝導板１３ｂ上の吸着剤１が滑り落ちない角度で熱伝導板１３ｂを振動伝達板１５ｂに取り付け、吸着剤再生手段１３に循環してきた吸着剤１は、振動発生手段１５の振動により加熱された熱伝導板１３ｂ上を加熱されながら順次滑り落ちて循環するようになっている。
【００４２】
このように、振動によって吸着剤１の熱伝導板１３ｂ上での加熱時間や循環速度が制御できる。
【００４３】
（第６実施形態）
図９に、本発明の第６実施形態における除湿器の側面断面構成図を示す。図７の第５実施形態と異なるのは、熱伝導板１３ｂの可動手段１６を備えている。図１０（ａ）にその可動手段１６の構造を示すが、可動用モータ１６ａに連結したシャフト１６ｂで熱伝導板１３ｂの一辺を支えた構造である。また、熱伝導板１３ｂの裏面には加熱手段１３ａが配置されている。
【００４４】
そして、吸着剤再生手段１３に循環してきた吸着剤１を、略水平状態の熱伝導板１３ｂ上に一時的に蓄えて加熱し、所定条件（時間、重量等）になると熱伝導板１３ｂの姿勢を図６（ｂ）のように可変させて吸着剤１を下方へ滑り落として吸着剤流動空間５へ戻す。その後、熱伝導板１３ｂは再び略水平位置に戻り、以上の作動を繰り返すことにより連続的に吸着剤１を循環させる。
【００４５】
このように、熱伝導板１３ｂの可動によって吸着剤１の熱伝導板１３ｂ上での加熱時間や循環速度が制御できる。
【００４６】
（第７実施形態）
図１１に、本発明の第７実施形態における除湿器の側面断面構成図を示す。図９の第６実施形態と異なるのは、熱伝導板１３ｂの回転手段１７を備えている。図１２にその回転手段１７の構造を示すが、熱伝導板１３ｂを略円板状にして、回転用モータ１７ａで回転させる構造である。また、熱伝導板１３ｂの裏面には加熱手段１３ａが配置されている。
【００４７】
そして、吸着剤再生手段１３に循環してきた吸着剤１を、回転している熱伝導板１３ｂ上の中心部に供給し、遠心力で外周方向に向かって移動させながら加熱し、外周部に到達すると下方へ落下させて吸着剤流動空間５へ戻すようになっている。
【００４８】
このように、熱伝導板１３ｂの回転によって吸着剤１の熱伝導板１３ｂ上での加熱時間や循環速度が制御できる。
【００４９】
（第８実施形態）
図１３に、本発明の第８実施形態における除湿器の側面断面構成図を示す。他の実施形態と異なるのは、吸着剤通路１２の中に吸着剤再生手段１３として、吸着剤１は通過できないが水蒸気は通過できる金網（抵抗体）１３ｃと熱伝導板１３ｂとで囲んだ吸着剤再生エリア１２ａを設けている。また、その吸着剤再生エリア１２ａにおいて、金網１３ｃに対して熱伝導板１３ｂの反対側に、凝縮手段２２として冷却用空気通路２２ｂに接した凝縮板２２ｃが設けられている。ちなみに、熱伝導板１３ｂは吸着剤１が重力で滑り落ちる角度で配置してある。
【００５０】
このような構成によって、吸着剤再生エリア１２ａに循環してきた吸着剤１は、熱伝導板１３ｂ上で加熱されて再生しながら順次滑り落ちて循環する。また、再生で発生する水蒸気は金網１３ｃを抜けて凝縮板２２ｃとの間の水蒸気通路２１に溜まり、冷却用空気通路２２ｂを通過する空気で冷却された凝縮板２２ｃに接触して凝縮水となり、滴下してドレンタンク２４に溜められる。
【００５１】
このように、吸着剤再生エリア１２ａでの熱伝導板１３ｂと金網１３ｃとの間隔により、熱伝導板１３ｂ上の吸着剤層の厚みを均一とした循環ができ、吸着剤１の再生を効率よく行なえることから、吸着剤再生エリア１２ａをコンパクトに構成することができる。また、吸着剤戻し部１４での吸着剤流出面積を調整することにより、吸着剤循環量が容易に制御できる。
【００５２】
（その他の実施形態）
本装置で発生する水蒸気で、加湿の必要な箇所のみを加湿するスポット加湿器として構成してもよい。例えばそれを、寝具の枕元周りだけの加湿等に用いれば、室内の絶対湿度（総水分量）を変えることなく局所的な加湿が行なえて好適である。
【００５３】
又、上述の実施形態では空間Ｒから空気を吸い込み、同一の空間Ｒへ除湿後の空気を吹き出しているが、これは同一空間に限るものではなく、例えば空間Ａから吸い込んだ空気を除湿して、別の空間Ｂへ吹き出すものであってもよい。
【図面の簡単な説明】
【図１】本発明の除湿器の基本構成を示す模式図である。
【図２】本発明の第1実施形態における除湿器の構造を示す側面断面構成図である。
【図３】本発明の第２実施形態における除湿器の構造を示す側面断面構成図である。
【図４】本発明の第３実施形態における除湿器の構造を示す側面断面構成図である。
【図５】本発明の第４実施形態における除湿器の構造を示す側面断面構成図である。
【図６】（ａ）、（ｂ）とも図５の熱伝導板の形状例を示す斜視図である。
【図７】本発明の第５実施形態における除湿器の構造を示す側面断面構成図である。
【図８】図7中の振動発生手段の構造を示す斜視図である。
【図９】本発明の第６実施形態における除湿器の構造を示す側面断面構成図である。
【図１０】（ａ）は図９中の可動手段の構造を示す斜視図で、（ｂ）は（ａ）からの動きを示す斜視図である。
【図１１】本発明の第７実施形態における除湿器の構造を示す側面断面構成図である。
【図１２】図１１中の回転手段の構造を示す斜視図である。
【図１３】本発明の第８実施形態における除湿器の構造を示す側面断面構成図である。
【符号の説明】
１  吸着剤
２  空気通路
３  吸込口
５  吸着剤流動空間
１  送風手段
７  吹出口
１１  吸着剤取り込み部
１  吸着剤通路
１２ａ  吸着剤再生エリア
１３  吸着剤再生手段
１３ａ  加熱手段
１３ｂ  熱伝導板
１３ｃ  金網（抵抗体）
１４  吸着剤戻し部
１５  振動発生手段
１６  可動手段
１７  回転手段
２１  水蒸気通路
２２  凝縮手段
２２ｂ  冷却用空気通路
Ｇ  ガイド溝
Ｒ  除湿対象空間
【図１】
0004491973.tif 000002
【図２】
0004491973.tif 000003
【図３】
0004491973.tif 000004
【図４】
0004491973.tif 000005
【図５】
0004491973.tif 000006
【図６】
0004491973.tif 000007
【図７】
0004491973.tif 000008
【図８】
0004491973.tif 000009
【図９】
0004491973.tif 000010
【図１０】
0004491973.tif 000011
【図１１】
0004491973.tif 000012
【図１２】
0004491973.tif 000013
【図１３】
0004491973.tif 000014